(57)【要約】【課題】  サムターン回しを防止するサムターン装置の提供。【解決手段】  サムターン装置１０は、デッドボルト操作用のハブ４に先端部が接続されるサムターン軸１２と、このサムターン軸１２を回転自在に軸受するサムターン胴２０と、サムターン軸１２の基端部に設けられ、サムターン軸１２を回転させるためのツマミ４０とを備える。サムターン軸１２の基端面中央には、基端側に開口してツマミ４０の凸部４２が差し込まれる凹部１６が形成されている。凹部１６の底面には、磁石に磁着可能な金属板１７が設けられている。サムターン軸１２の基端部には、ツマミ４０が着脱可能に設けられる。ツマミ４０は、回転操作される際に摘まれる操作部４１と、サムターン軸１２の凹部１６に差し込まれる凸部４２とが連接されてなる。凸部４２には、磁石が設けられている。【選択図】      図３
2005068776.tif 000002
【特許請求の範囲】
【請求項１】
ツマミの回転操作によりサムターン軸を回転させ、そのサムターン軸の回転動作でデッドボルトを進退させるサムターン装置であって、
前記ツマミは、サムターン軸に対して磁石を介して着脱可能に保持される
ことを特徴とするサムターン装置。
【請求項２】
前記サムターン軸と前記ツマミには、互いにはめ込まれる凹凸部が形成されており、
この凹凸部により、ツマミはサムターン軸に対し、周方向定位置ではめ込み可能とされている
ことを特徴とする請求項１に記載のサムターン装置。
【請求項３】
前記ツマミに凸部が形成されており、この凸部の先端部には磁石が設けられており、
前記サムターン軸に凹部が形成されており、この凹部には前記磁石の磁力が作用する金属板が設けられている
ことを特徴とする請求項２に記載のサムターン装置。
【請求項４】
前記ツマミは、回転操作される際に摘まれる部分が、基端側に行くに従って拡径する円錐台形状とされている
ことを特徴とする請求項１から請求項３までのいずれかに記載のサムターン装置。
【請求項５】
請求項１から請求項４までのいずれかに記載のサムターン装置が備えられた扉錠又は扉。
【発明の詳細な説明】
【技術分野】
【０００１】
本発明は、不正な解錠を防止できるサムターン装置に関するものである。
【背景技術】
【０００２】
従来、一戸建てやマンション等の玄関扉の不正解錠行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退して不正解錠するものである。また、扉に穴をあけて、その穴から手を室内に入れてツマミを回転させる行為も近年増加してきている。
【発明の開示】
【発明が解決しようとする課題】
【０００３】
しかしながら、上記のような不正解錠行為に対して、本願出願人が知るところでは、適切に対応した技術は存在しない。本発明は、上記事情に鑑みてなされたものであり、いわゆるサムターン回しを有効に防止するサムターン装置を提供することにある。
【課題を解決するための手段】
【０００４】
上記目的を達成するために、本発明のサムターン装置は、ツマミの回転操作によりサムターン軸を回転させ、そのサムターン軸の回転動作でデッドボルトを進退させるサムターン装置であって、前記ツマミは、サムターン軸に対して磁石を介して着脱可能に保持されることを特徴とする。
【０００５】
また、好ましくは上記構成に加えて、前記サムターン軸と前記ツマミには、互いにはめ込まれる凹凸部が形成されており、この凹凸部により、ツマミはサムターン軸に対し、周方向定位置にはめ込み可能とされていることを特徴とするサムターン装置である。
【０００６】
また、好ましくは上記構成に加えて、前記ツマミに凸部が形成されており、この凸部の先端部には磁石が設けられており、前記サムターン軸に凹部が形成されており、この凹部には前記磁石の磁力が作用する金属板が設けられていることを特徴とするサムターン装置である。
【０００７】
また、好ましくは上記構成に加えて、前記ツマミは、回転操作される際に摘まれる部分が、基端側に行くに従って拡径する円錐台形状とされていることを特徴とするサムターン装置である。
さらに、本願発明は、上記各構成のいずれかのサムターン装置が備えられた扉錠又は扉である。
【発明の効果】
【０００８】
本発明のサムターン装置によれば、扉にあけた穴から針金や紐等によって不正解錠しようとしても、サムターン装置からツマミが外れてしまうので、サムターン軸を解錠方向に回転させることができない。よって、いわゆるサムターン回しを有効に防止することができる。
【発明を実施するための最良の形態】
【０００９】
以下、本発明のサムターン装置について、実施例に基づき更に詳細に説明する。
【００１０】
図１は、本発明のサムターン装置を備えた扉錠の縦断面図である。
また、図２は、図１の扉錠を示す図であり、（ａ）は室内側から見た正面図、（ｂ）は戸先側から見た側面図、（ｃ）は底面図である。
【００１１】
扉錠１は、従来公知の構造に、本発明のサムターン装置が取り付けられて構成され、箱状の錠ケース２を備えている。錠ケース２は、扉１００の戸先側端部の上下方向中央部に取り付けられる。図１に示すように、錠ケース２の戸先側端面に設けられたフロント裏板７が錠ケース取付ネジ９ａにより扉１００の戸先側端部に固定される。また、フロント裏板７にフロント板８が重ね合わされてフロント取付ネジ９ｂにより固定される。
【００１２】
錠ケース２には、扉１００を施解錠するデッドボルト３が設けられている。デッドボルト３は、錠ケース２の戸先側端面から出没可能とされており、そのデッドボルト３を出没させるためのハブ４やクリックモーション用バネ５等の出没操作機構が錠ケース２に内蔵されている。なお、ハブ４は、錠ケース２に固定のハブ取付部材６に回転可能に保持されている。
【００１３】
また、図２に示すように、デッドボルト３の出没、つまり前進又は後退は、錠ケース２に連結するように取り付けられた室内側のサムターン装置１０のツマミ４０の操作、又は室外側のシリンダー錠６０の鍵の操作により行なわれる。
【００１４】
図１に示すように、錠ケース２の壁２ａには、扉１００の幅方向に沿って細長い案内穴２ｂが穿設されており、この案内穴２ｂにデッドボルト３の後部に固定したピン３ａが、案内穴２ｂに沿って摺動可能に嵌挿されている。また、デッドボルト３の後方上部に形成された凹溝状の被係合部３ｂに、回転動作するハブ４の凸状係合部４ａを係合するか否かにより、デッドボルト３が前進又は後退位置で保持される。
【００１５】
図３は、本実施例のサムターン装置１０が取り付けられた扉錠の縦断面図であり、扉の厚さ方向に沿う線で切断した状態を示している。
図３に示すように、サムターン装置１０は、前記ハブ４に先端部１３が接続されるサムターン軸１２と、このサムターン軸１２を回転自在に軸受するサムターン胴２０と、サムターン軸１２の基端部に設けられ、サムターン軸１２を回転させるためのツマミ４０とを主要部として備える。
【００１６】
図４は、サムターン軸１２を示す部品図であり、（ａ）は正面図、（ｂ）は右側面図である。サムターン軸１２は、丸棒状であり、その基端部には、径方向外側に拡径してフランジ１４が形成されている。
【００１７】
また、サムターン軸１２の先端側は若干縮径しており、先端部１３は断面十字状に形成されている。この十字状の先端部１３が、ハブ４の十字状のハブ穴４ｂに回転方向に対して遊びがない状態で係合される（図１）。従って、サムターン軸１２に連結されるツマミ４０を回すと、サムターン軸１２の先端部１３がハブ４を介してデッドボルト３を進退させることができる。
なお、サムターン軸１２には、リング７６がはめ込まれる凹溝１５が周方向に形成されている。
【００１８】
サムターン軸１２の基端面中央には、基端側に開口して後述するツマミ４０の凸部４２が差し込まれる凹部１６が形成されている。本実施例では、この凹部１６は、断面五角形状の穴とされる。この凹部１６の断面形状は、正五角形ではなく、ホームベース形状、すなわち図４（ａ）において、水平な一辺１６ａの左右両端から垂直上方にそれぞれ延出し、その各垂直辺１６ｂ，１６ｂの上端部にそれぞれ傾斜辺１６ｃ，１６ｃが連接されている。この各傾斜辺１６ｃ，１６ｃは、上方に行くに従って、互いに近接する方向に傾斜している。
この凹部１６の底面には、磁石に磁着可能な金属板１７が設けられている。
【００１９】
サムターン軸１２を回転可能に保持するサムターン胴２０は、円柱形状とされ、その軸心と偏心して段付穴２１が軸方向に貫通して形成されている。この段付穴２１は、先端側が小径穴２２、基端側が大径穴２３とされている。
【００２０】
サムターン胴２０の基端部には、座２５が設けられる。座２５は、短円柱形状であり、その軸心と偏心して軸方向に沿って貫通穴２６が形成されている。この貫通穴２６は、サムターン胴２０の段付穴２１に対応した位置に形成されており、その内径はサムターン軸１２の軸径に対応している。
【００２１】
座２５は、その先端面がサムターン胴２０の基端面に重ね合わされて配置され、座２５の基端部にはキャップ３０が被せられる。キャップ３０は、座２５の基端面に重ね合わされる円板状の板片３１と、この板片３１の外周端部から先端側へ突出する円筒状の外片３２とからなる。板片３１には、座２５の貫通穴２６に対応した位置に穴３３が形成されている。そして、キャップ３０は、座２５の基端面及び外周面を覆うように設けられ、座２５を介してサムターン胴２０にネジ止め７５される。
【００２２】
サムターン軸１２は、キャップ３０、座２５及びサムターン胴２０の各穴（３３，２６，２１）に配置され、その先端部１３が上述したようにハブ４に差し込まれる。この際、サムターン軸１２のフランジ１４がキャップ３０に当接されると共に、サムターン軸１２の凹溝１５にリング７６がはめ込まれ、サムターン軸１２のフランジ１４とリング７６は、座２５及びキャップ３０を挟み込む。これにより、サムターン軸１２は、その軸方向の移動が規制された状態でサムターン胴２０に回転可能に保持される。
【００２３】
サムターン胴２０の周囲には、筒状のサムターンカラー３５が設けられる。このサムターンカラー３５は、サムターン胴２０との間に配置されたコイルバネ３７により、扉側に付勢された状態で取り付けられている。これにより、サムターンカラー３５は、軸方向に移動可能であり、コイルバネ３７の伸縮を利用して扉の厚さの変化に対応することが可能とされる。
【００２４】
サムターン軸１２の基端部には、ツマミ４０が着脱可能に設けられる。
図５は、ツマミ４０を示す部品図であり、（ａ）は正面図、（ｂ）は右側面図、（ｃ）は背面図である。
【００２５】
ツマミ４０は、回転操作される際に摘まれる操作部４１と、サムターン軸１２の凹部１６に差し込まれる凸部４２とが連接されてなる。操作部４１は、基端側に行くに従って拡径する円錐台形状であり、その最大径部、つまり基端側外周部には、摘み易いようにローレット加工４１ａが施されている。
【００２６】
操作部４１の先端面中央に、先端側に突出して凸部４２が形成されている。この凸部４２は、サムターン軸１２の凹部１６に適合した断面五角形状であり、サムターン軸１２の凹部１６に差込可能とされている。また、この凸部４２は、少なくとも先端部に磁石が設けられて、本実施例では凸部４２自体が磁石で形成されている。
【００２７】
このような構成のツマミ４０は、その凸部４２がサムターン軸１２の凹部１６に差し込まれて、従来のように、施解錠の際に左右いずれかの方向へ９０度回転操作される。ところで、ツマミ４０の凸部４２には磁石が設けられており、サムターン軸１２の凹部１６には金属板１７が設けられているので、ツマミ４０の凸部４２がサムターン軸１２の凹部１６に差し込まれた際には、ツマミ４０とサムターン軸１２とは磁力により互いに引きつけられる。これにより、ツマミ４０から手を離してもその差込状態は維持されて、勝手な脱落が防止されると共に、ツマミ４０の回転操作を容易且つ確実に行なうことができる。なお、図示例では、ツマミ４０の凸部４２の先端部とサムターン軸１２の凹部１６に設けられた金属板１７との間に微小な隙間が生じているが、完全に当接するようにしても構わない。
【００２８】
本実施例では、ツマミ４０の凸部４２及びサムターン軸１２の凹部１６は、正五角形ではなく、ホームベース形状とされている。従って、ツマミ４０をサムターン軸１２に差し込む際には、その凸部４２がサムターン軸１２の凹部１６に嵌るように、周方向の位置を合せる必要がある。つまり、ツマミ４０は、サムターン軸１２に対して差込位置が規定されており、周方向定位置でおいてのみサムターン軸１２に差し込むことが可能とされている。
【００２９】
また、本実施例では、ツマミ４０がサムターン軸１２に差し込まれた状態において、施錠状態又は解錠状態の識別を容易にするために、ツマミ４０の基端面に矢印４３が付けられている。この矢印４３は、施錠状態において上方に向くようにツマミ４０の基端面に付けられている。なお、本実施例では、ツマミ４０の基端面に「施錠」の文字も施錠状態において縦書きされている。
【００３０】
ツマミ４０がサムターン軸１２に差し込まれた状態で、矢印４３が上方に向いていれば施錠状態であることが判断でき、矢印４３が９０度傾いた状態すなわち横に向いていれば解錠状態であることがすぐに判断できる。
本実施例では、上述したようにサムターン軸１２に対してツマミ４０は周方向に一箇所のみ差し込まれるので、施錠・解錠状態においての矢印４３の方向は変わることがない。
【００３１】
シリンダー錠６０は、従来公知の構成を採用できる。
例えば、図３に示すように、シリンダー錠６０は、扉１００に貫通した取付穴１０１に前記サムターン装置１０と同軸的に取り付けてあり、公知の如く、鍵穴６２を有する内筒６１と、内筒６１を回転可能に嵌挿した外筒６３と、外筒６３を被覆するカラー６４とを備えている。また、内筒６１と外筒６３とには、複数の下ピン穴６５又は上ピン穴６６が両者が連通するように形成され、下ピン穴６５に下ピン６７が上ピン穴６６に上ピン６８がそれぞれ挿入され、鍵（図示せず）を鍵穴６２に差し込んでいない状態、又は鍵が適合していない状態のときには、ピンバネ６９の付勢力によって上下両ピンの境界線は、内筒６１と外筒６３のシェアラインと不一致であるため、内筒６１を回転することができない。鍵穴６２に適合する鍵を挿入した場合には、上下両ピンの境界線と内筒６１と外筒６３とのシェアラインとが一致するため内筒６１を回転することができ、ハブ４を操作してデッドボルト３を出没して施解錠できるようになっている。なお、ハブ４を操作するための操作杆７０が内筒６１の室内側端部に設置されている。この操作杆７０とハブ４のハブ穴４ｂとの係合状態は、回転方向に約９０度のアソビを設けるようにして係合してある。このことにより、シリンダー錠６０の操作杆７０とは無関係に、サムターン装置１０によってデッドボルト３の出没作動を行うことができる。
【００３２】
本実施例のサムターン装置１０は、ツマミ４０がサムターン軸１２に着脱可能に取り付けられる。従って、本実施例のサムターン装置１０は、外出時に予めツマミを取り外しておくことで、いわゆるサムターン回しによる不正解錠を防止することが可能である。以下、具体的に説明する。
【００３３】
図６は、図５の状態からツマミ４０を取り外した状態を示す扉錠の縦断面図であり、扉の厚さ方向に沿う線で切断した状態を示している。
例えば、外出時に図６に示すように、ツマミ４０をサムターン軸１２から外して、室外側から鍵で施錠すればよい。室内側にツマミ４０が無いので、室外側から針金等を差し込んでツマミ４０を回転させるような不正解錠方法や、扉１００に穴をあけて手を入れて行なう不正解錠方法では解錠させることができない。
なお、ツマミ４０の凸部４２には、磁石が取り付けられているので、サムターン軸１２から取り外したツマミ４０を金属製の扉や扉枠に着けて置いておくことができる。それ故、ツマミ４０を紛失することがなく、また、災害時にも対応できる。
【００３４】
さらに、本実施例のサムターン装置１０は、ツマミ４０をサムターン軸１２に取り付けたまま外出した場合でも、針金等によるサムターン回しが防止される。つまり、ツマミ４０の操作部４１は、円錐台形状とされており、その外周面は曲面とされると共にテーパー面とされているので、針金が引っ掛ることがなくツマミ４０を回す力がかからない。
また、針金によりツマミに周方向以外の力、例えば上方や下方あるいは左右方向に押す力がかかった際には、ツマミ４０はサムターン軸１２から脱落してしまうのでサムターン回しが防止される。
【００３５】
次に、本実施例のサムターン装置に、さらに不正解錠防止機能が加えられたサムターン装置について説明する。
図７は、別の実施例の扉錠の縦断面図であり、扉の厚さ方向に沿う線で切断した状態を示している。
【００３６】
本実施例のサムターン装置１０は、上記実施例と同様の構成であるので、以下においては両者の異なる部分を中心に説明する。なお、上記実施例と同じ部材には、同じ符号をつけて説明する。
本実施例のサムターン軸１２は、その外周面の一部に、周方向に歯車状の係合部１８が形成されている。また、座２５の貫通穴２６は、サムターン軸１２より大径とされており、サムターン軸１２が差し込まれた際、その周囲に隙間ができる。さらに、座２５の先端面には、貫通穴２６周縁に沿って、サムターン軸１２の係合部１８に噛合い可能な歯車状の被係合部２７が設けられている。
【００３７】
通常時、サムターン軸１２は、その係合部１８が、座２５の被係合部２７と噛合わないように、座２５の貫通穴２６の外周部に設けられた保持手段により、座２５の貫通穴２６の中央に配置されている。
この保持手段は、コイルバネ４５と支持部材４６とを備える。座２５の貫通穴２６の周側面には、その径方向外側に向かって凹部２８が周方向等間隔に３箇所形成されており、その凹部の底部にコイルバネ４５の一端が配置される。コイルバネ４５の他端には、凹部２８に収容可能な支持部材４６が配置される。本実施例では、この支持部材４６は、一方にのみ開口した筒形状であり、その開口部にコイルバネ４５の他端が差し込まれている。
【００３８】
サムターン軸１２が座２５及びサムターン胴２０に差し込まれた状態において、支持部材４６をサムターン軸１２の周側面にコイルバネ４５の付勢力により当接させることで、何も力がかかっていない通常時には、サムターン軸１２は、座２５の貫通穴２６の中央に配置される。この状態では、サムターン軸１２の係合部１８と座２５の被係合部２７とは噛合っていない。従って、この状態では、ツマミ４０は回転可能であり、しかもツマミ４０の凸部４２がサムターン軸１２の凹部１６と係合しているので、ツマミ４０の回転によりサムターン軸１２を回転させ、ハブ４を作動して施解錠操作ができる。
【００３９】
ところで、例えば、室外側から針金によりツマミ４０を回そうとしてツマミ４０に下方への力がかかった場合、サムターン軸１２も下方に移動する。すると、サムターン軸１２の係合部１８が、座２５の被係合部２７と噛合い係合する。この状態においてツマミ４０を回そうとしても、固定された座２５にサムターン軸１２が係合しているのでツマミ４０を回すことはできない。このように、さらに、サムターン回しによる不正解錠を防止することが可能となる。
【００４０】
なお、本発明のサムターン装置は、上記実施例の構成に限らず、適宜変更可能である。例えば、ツマミの先端部に断面五角形状の凸部を、サムターン軸の基端部に断面五角形状の凹部を形成したが、ツマミの先端部に断面五角形状の凹部を形成し、サムターン軸の基端部に断面五角形状の凸部を形成しても構わない。この際、扉などにツマミをくっ付けて置くことを可能とするために、凹部が形成されるツマミ先端部に磁石を設けるのが好ましい。この他、ツマミの先端部に凸部（例えば丸棒）と凹部（例えば丸穴）を設け、サムターン軸の基端部にツマミの凸部及び凹部に対応した凹部と凸部を形成しても構わない。これによっても、周方向において定位置で差し込むことが可能とされる。
【００４１】
また、サムターン軸の凹部の底面に金属板を設けたが、ツマミの先端部に設けられた磁石に磁着する磁石を設けても構わない。また、サムターン軸自体が磁石に磁着する金属で製作されている場合には、金属板を設ける必要はない。
さらに、ツマミ及びサムターン軸に形成される凹凸部を断面五角形状としたが、正多角形でない他の多角形状すなわち二等辺三角形や七角形等の断面形状としても構わない。
【図面の簡単な説明】
【００４２】
【図１】本発明のサムターン装置を備えた扉錠の縦断面図である。
【図２】図１の扉錠を示す図であり、（ａ）は室内側から見た正面図、（ｂ）は戸先側から見た側面図、（ｃ）は底面図である。
【図３】本発明のサムターン装置が取り付けられた扉錠の縦断面図であり、扉の厚さ方向に沿う線で切断した状態を示している。
【図４】サムターン軸を示す部品図であり、（ａ）は正面図、（ｂ）は右側面図である。
【図５】ツマミを示す部品図であり、（ａ）は正面図、（ｂ）は右側面図、（ｃ）は背面図である。
【図６】図５の状態からツマミを取り外した状態を示す扉錠の縦断面図であり、扉の厚さ方向に沿う線で切断した状態を示している。
【図７】別の実施例の扉錠の縦断面図であり、扉の厚さ方向に沿う線で切断した状態を示している。
【符号の説明】
【００４３】
１  扉錠
２  錠ケース
３  デッドボルト
４  ハブ
１０  サムターン装置
１２  サムターン軸
１６  凹部
１７  金属板
２０  サムターン胴
２１  段付穴
２５  座
２６  貫通穴
３０  キャップ
３５  サムターンカラー
４０  ツマミ
４１  操作部
４２  凸部
４３  矢印
６０  シリンダー錠
１００  扉
【図１】
2005068776.tif 000003
【図２】
2005068776.tif 000004
【図３】
2005068776.tif 000005
【図４】
2005068776.tif 000006
【図５】
2005068776.tif 000007
【図６】
2005068776.tif 000008
【図７】
2005068776.tif 000009